(57)【要約】【課題】コスト上昇を抑制して使用性を向上できる冷蔵庫を提供する。【解決手段】前後方向にスライドして貯蔵室９を開閉する扉１９と、扉１９に支持されて扉１９と一体にスライドする下段ケース４０と、下段ケース４０に載置して下段ケース４０上を前後方向にスライド可能な中段ケース５０と、中段ケース５０の上方に配されるとともに下段ケース４０に載置して下段ケース４０上を前後方向にスライド可能な上段ケース６０とを備えた。【選択図】図３
2015161486.tif 000002
【特許請求の範囲】
【請求項１】
前後方向にスライドして貯蔵室を開閉する扉と、前記扉に支持されて前記扉と一体にスライドする下段ケースと、前記下段ケースに載置して前記下段ケース上を前後方向にスライド可能な中段ケースと、前記中段ケースの上方に配されるとともに前記下段ケースに載置して前記下段ケース上を前後方向にスライド可能な上段ケースとを備えたことを特徴とする冷蔵庫。
【請求項２】
前記扉の背面の両側部から後方に延びるフレームと、前記貯蔵室の両側壁上に設けられるとともに前記フレームを前後方向に案内する扉ガイド部と、前記下段ケースの両側面から側方にそれぞれ突出する一または複数の支持部とを備え、前記支持部が前記フレーム上に載置され、前記中段ケース及び前記上段ケースが前記支持部上に載置されることを特徴とする請求項１に記載の冷蔵庫。
【請求項３】
前記支持部が前記中段ケースよりも外側で上方に突出して前記下段ケースの上部側面を遮蔽する遮蔽部を有し、前記上段ケースが前記遮蔽部上に載置されることを特徴とする請求項２に記載の冷蔵庫。
【請求項４】
前記中段ケースの両側面の後端部から側方に突出する第１突出部と、前記上段ケースの両側面から側方に突出するフランジ部と、前記貯蔵室の両側壁上に前後に延びて設けられるとともに第１突出部を前後方向に案内する中段ガイド部と、前記貯蔵室の両側壁上に前後に延びて設けられるとともに前記フランジ部を前後方向に案内する上段ガイド部とを備えたことを特徴とする請求項２または請求項３に記載の冷蔵庫。
【請求項５】
前記フランジ部の後部に下方に突出する第２突出部を設けるとともに、前記上段ガイド部の案内面が前方を上方に傾斜した傾斜面を有し、前記扉を閉じた際に第２突出部が前記上段ガイド部から離れて前記上段ケースが前記支持部に載置され、前記扉を所定量引き出して前記傾斜面上に第２突出部が配された際に、第２突出部が前記上段ガイド部上に載置されて前記上段ケースの後部が前記支持部上から離れることを特徴とする請求項４に記載の冷蔵庫。
【発明の詳細な説明】
【技術分野】
【０００１】
本発明は、貯蔵室内に前後にスライドする収納ケースを設けた冷蔵庫に関する。
【背景技術】
【０００２】
従来の冷蔵庫は特許文献１に開示されている。この冷蔵庫は貯蔵物を貯蔵する上部貯蔵室及び下部貯蔵室が本体部の上下に並設される。上部貯蔵室の前面は本体部に枢支される回動式の扉により開閉される。下部貯蔵室の前面は前後にスライドする扉により開閉される。
【０００３】
下部貯蔵室の扉には背面の両側部から後方に延びる一対のフレーム（支持部材）が設けられる。フレーム上には収納ケースが載置され、収納ケースは扉と一体に前後にスライドする。フレームは下部貯蔵室の内部に臨む開口部を有した断面略Ｃ字状に形成され、ローラが軸支される。下部貯蔵室の両側壁の内面にはフレームを案内する前後に延びた扉ガイド部（レール）が設けられる。扉ガイド部の上下はフレームにより覆われる。
【０００４】
フレームに設けたローラが扉ガイド部上を転動し、扉が収納ケースと一体に前後に案内される。この時、フレームの下壁は扉ガイド部の下面に摺動するため、前方に引き出された扉はフレームの下壁と扉ガイド部の下面との当接により支持される。これにより、重量の大きい収納ケースと一体の扉の傾倒が防止される。
【０００５】
収納ケースは扉に支持される下段ケースと、下段ケースに支持される中段ケースとを備えている。下段ケースは両側壁から側方に突出するフランジ部が設けられ、フレーム上にフランジ部が載置される。
【０００６】
中段ケースは両側壁から側方に突出するフランジ部が設けられ、下段ケースのフランジ部上に中段ケースのフランジ部が載置される。これにより、中段ケースは下段ケースの側壁上を摺動して下段ケースに対して前後にスライドする。また、下部貯蔵室の両側壁には中段ケースを摺動案内する前後に延びた中段ガイド部（下段レール）が設けられる。扉を引き出して中段ケースを後方にスライドさせた際に、中段ケースの前部は下段ケース上を摺動して後部は中段ガイド部上を摺動する。
【０００７】
また、収納ケースの上方には上段ケースが設けられ、下部貯蔵室の両側壁には上段ケースを摺動案内する前後に延びた上段ガイド部（上段レール）が設けられる。る。上段ケースは上段ガイド部の摺動案内によって前後にスライドする。この時、上段ケースは重量が小さいため、引き出された際に上段ガイド部に設けた係止部により支持される。
【０００８】
これにより、貯蔵物を３段の容器に分けて収納することができ、冷蔵庫の利便性が向上する。
【先行技術文献】
【特許文献】
【０００９】
【特許文献１】特許第４３６４１２８号公報（第３頁−第７頁、第５図）
【発明の概要】
【発明が解決しようとする課題】
【００１０】
しかしながら、上記従来の冷蔵庫によると、上段ケースは貯蔵室に設けた上段ガイド部により摺動案内されるため、前方に引き出された上段ケースが上段ガイド部に後端で片持ち支持される。このため、上段ケースが不安定になり、使用性が悪くなる問題があった。
【００１１】
上段ケースを下段ケースと同様にフレームにより支持すると、前方に引き出された上段ケースを安定して引き出すことができる。しかし、構造が複雑になり、冷蔵庫のコストが大きくなる問題が発生する。
【００１２】
本発明は、コスト上昇を抑制して使用性を向上できる冷蔵庫を提供することを目的とする。
【課題を解決するための手段】
【００１３】
上記目的を達成するために本発明は、前後方向にスライドして貯蔵室を開閉する扉と、前記扉に支持されて前記扉と一体にスライドする下段ケースと、前記下段ケースに載置して前記下段ケース上を前後方向にスライド可能な中段ケースと、前記中段ケースの上方に配されるとともに前記下段ケースに載置して前記下段ケース上を前後方向にスライド可能な上段ケースとを備えたことを特徴としている。
【００１４】
また本発明は、上記構成の冷蔵庫において、前記扉の背面の両側部から後方に延びるフレームと、前記貯蔵室の両側壁上に設けられるとともに前記フレームを前後方向に案内する扉ガイド部と、前記下段ケースの両側面から側方にそれぞれ突出する一または複数の支持部とを備え、前記支持部が前記フレーム上に載置され、前記中段ケース及び前記上段ケースが前記支持部上に載置されることを特徴としている。
【００１５】
また本発明は、上記構成の冷蔵庫において、前記支持部が前記中段ケースよりも外側で上方に突出して前記下段ケースの上部側面を遮蔽する遮蔽部を有し、前記上段ケースが前記遮蔽部上に載置されることを特徴としている。
【００１６】
また本発明は、上記構成の冷蔵庫において、前記中段ケースの両側面の後端部から側方に突出する第１突出部と、前記上段ケースの両側面から側方に突出するフランジ部と、前記貯蔵室の両側壁上に前後に延びて設けられるとともに第１突出部を前後方向に案内する中段ガイド部と、前記貯蔵室の両側壁上に前後に延びて設けられるとともに前記フランジ部を前後方向に案内する上段ガイド部とを備えたことを特徴としている。
【００１７】
また本発明は、上記構成の冷蔵庫において、前記フランジ部の後部に下方に突出する第２突出部を設けるとともに、前記上段ガイド部の案内面が前方を上方に傾斜した傾斜面を有し、前記扉を閉じた際に第２突出部が前記上段ガイド部から離れて前記上段ケースが前記支持部に載置され、前記扉を所定量引き出して前記傾斜面上に第２突出部が配された際に、第２突出部が前記上段ガイド部上に載置されて前記上段ケースの後部が前記支持部上から離れることを特徴としている。
【００１８】
また本発明は、上記構成の冷蔵庫において、前記扉を閉じた際に、第１突出部が前記中段ガイド部の案内面上から離れて前記中段ケースが前記支持部上に載置され、前記フランジ部が前記上段ガイド部の案内面上から離れて前記上段ケースが前記支持部上に載置されることを特徴としている。
【００１９】
また本発明は、上記構成の冷蔵庫において、前記扉を閉じた際に、第１突出部が前記中段ガイド部の案内面上から離れて前記中段ケースが前記支持部上に載置され、前記フランジ部が前記上段ガイド部上に載置されて前記上段ケースが前記支持部上から離れることを特徴としている。
【００２０】
また本発明は、上記構成の冷蔵庫において、前記中段ケースの前壁が上方に延びる延設部を有し、前記中段ケースを後方にスライドした際に前記延設部が前記上段ケースの前面に当接して前記上段ケースが後方にスライドすることを特徴としている。
【００２１】
また本発明は、上記構成の冷蔵庫において、前記上段ケースの後壁が下方に延びる延設部を有し、前記中段ケースを後方にスライドした際に前記延設部が前記中段ケースの後面に当接して前記上段ケースが後方にスライドすることを特徴としている。
【００２２】
また本発明は、上記構成の冷蔵庫において、前記上段ケースの前壁に上下に貫通する凹部を形成したことを特徴としている。
【発明の効果】
【００２３】
本発明によると、扉に支持される下段ケース上に中段ケース及び上段ケースが載置されるので、中段ケース及び上段ケースが下段ケース上を摺動して前後に移動する。このため、前方に引き出された中段ケース及び上段ケースを簡単な構成で安定して支持することができ、冷蔵庫のコスト上昇を抑制して使用性を向上することができる。
【図面の簡単な説明】
【００２４】
【図１】本発明の第１実施形態の冷蔵庫を示す側面断面図
【図２】本発明の第１実施形態の冷蔵庫の収納ケースを示す斜視図
【図３】本発明の第１実施形態の冷蔵庫の収納ケースを扉に平行に切断した斜視図
【図４】本発明の第１実施形態の冷蔵庫の収納ケースの要部を拡大した正面断面図
【図５】本発明の第１実施形態の冷蔵庫の野菜室の扉を開いた状態を示す側面断面図
【図６】本発明の第１実施形態の冷蔵庫の中段ケースを取り外した収納ケース扉に平行に切断した斜視図
【図７】本発明の第２実施形態の冷蔵庫の野菜室の扉を開いた状態を示す側面断面図
【図８】本発明の第３実施形態の冷蔵庫の収納ケースの要部を示す上面図
【発明を実施するための形態】
【００２５】
＜第１実施形態＞
以下に図面を参照して本発明の実施形態を説明する。図１は第１実施形態の冷蔵庫を示す右側面断面図である。冷蔵庫１は発泡断熱材を充填した断熱箱体３により形成される本体部２を有している。本体部２の上部には冷蔵室５が設けられる。冷蔵室５の下方には仕切壁１１を介して冷凍室７、８が設けられる。冷凍室７及び冷凍室８は上下方向に並設して連通し、本体部２の前部に配される左右に延びた仕切部１３により区分けされる。
【００２６】
冷凍室８の下方には断熱材を充填した仕切壁１２を介して野菜室９が設けられる。断熱箱体３の下部後方には機械室２０が設けられる。
【００２７】
冷蔵室５は貯蔵物を冷蔵保存し、野菜室９は冷蔵室５よりも高温に維持して野菜等の貯蔵物を冷蔵保存する。冷凍室７及び冷凍室８は貯蔵物を冷凍保存する。機械室２０内には冷凍サイクルを運転する圧縮機２１が配される。
【００２８】
冷蔵室５は左右端でそれぞれ枢支された観音開きの一対の扉１５により開閉される。扉１５の背面にはそれぞれドアポケット１５ａが設けられる。
【００２９】
冷凍室７、冷凍室８及び野菜室９はそれぞれ前後にスライドする扉１７、１８、１９により開閉される。冷凍室７の扉１７の背面には樹脂製の収納ケース３１が一体に形成され、冷凍室７の側壁に設けたレール部１７ａ上を収納ケース３１が摺動して扉１７が収納ケース３１とともにスライドする。
【００３０】
冷凍室８の扉１８には背面の両側部から後方に延びる一対のフレーム１８ａが設けられ、フレーム１８ａ上には樹脂製の収納ケース３２が載置される。野菜室９の扉１９も同様に、背面の両側部から後方に延びる一対のフレーム１９ａが設けられ、フレーム１９ａ上には樹脂製の収納ケース３３が載置される。冷凍室８及び野菜室９の両側壁にはフレーム１８ａ、１９ａをそれぞれ前後に案内する扉ガイド部３４（図４参照）が設けられる。
【００３１】
フレーム１８ａ、１９ａは室内に臨む開口部を有した断面略Ｃ字状に形成され、ローラ１９ｂ（図４参照）が軸支される。扉ガイド部３４の上下はフレーム１８ａ、１９ａにより覆われる。
【００３２】
フレーム１８ａ、１９ａに設けたローラ１９ｂが扉ガイド部３４上を転動し、扉１８、１９が収納ケース３２、３３と一体に前後に案内される。この時、フレーム１８ａ、１９ａの下壁は扉ガイド部３４の下面に摺動するため、前方に引き出された扉１８、１９はフレーム１８ａ、１９ａの下壁と扉ガイド部３４の下面との当接により支持され、重量の大きい収納ケース３２、３３と一体の扉１８、１９の傾倒が防止される。また、扉ガイド部３４の前端部をＬ字状に形成すれば、ローラ１９ｂが扉ガイド部３４から脱落することを防止することもできる。
【００３３】
また、野菜室９の収納ケース３３は３段に形成され、下方から順に下段ケース４０、中段ケース５０、上段ケース６０を有している。詳細を後述するように、下段ケース４０はフレーム１９ａ上に載置され、中段ケース５０及び上段ケース６０は下段ケース４０上に載置される。
【００３４】
冷凍室７、８の背面部には冷気通路２４が設けられ、冷蔵室５の背面部には冷気通路２４とダンパ（不図示）を介して連通する冷気通路２５が設けられる。冷気通路２４には冷却器２２及び送風機２３が配され、冷凍室７に臨む吐出口２４ａ及び冷却器２２に冷気を戻す戻り口２４ｂが開口する。冷却器２２は圧縮機２１に接続され、冷気を生成する。
【００３５】
冷気通路２５には冷蔵室５に臨む吐出口２５ａが開口し、冷蔵室５からは野菜室９に連通する連通路（不図示）が導出される。野菜室９には冷却器２２に冷気を戻す戻り口（不図示）が設けられる。
【００３６】
圧縮機２１及び送風機２３の駆動によって冷気通路２４を流通する空気が冷却器２２と熱交換して冷気が生成され、吐出口２４ａから冷凍室７に吐出される。冷凍室７に吐出された冷気により冷凍室７及び冷凍室８内が冷却され、冷凍室７及び冷凍室８を流通した冷気は戻り口２４ｂを介して冷却器２２に戻る。これにより、冷凍室７及び冷凍室８内が氷点よりも低温に維持される。
【００３７】
また、ダンパが開かれると冷気通路２４を流通する冷気の一部が冷気通路２５に流入し、吐出口２５ａから冷蔵室５に吐出される。冷蔵室５に吐出された冷気により冷蔵室５内が冷却され、冷蔵室５内が氷点よりも高温に維持される。冷蔵室５を流通した冷気は連通路を介して野菜室９に流入し、野菜室９が冷蔵室５よりも高温に維持される。野菜室９を流通した冷気は戻り口を介して冷却器２２に戻る。
【００３８】
図２は野菜室９の収納ケース３３の斜視図を示している。また、図３は収納ケース３３を扉１９に平行に切断した斜視図を示している。また、図４は収納ケース３３の要部を拡大した正面断面図を示している。
【００３９】
収納ケース３３の下段ケース４０は両側壁４０ｂから側方に突出して前後方向に延びる支持部４１を上端部に有している。下段ケース４０は支持部４１をフレーム１９ａ（図１参照）に載置して支持され、扉１９（図１参照）と一体にスライドする。支持部４１には上方に突出して前後方向に延びる遮蔽部４２が設けられる。また、下段ケース４０の側壁４０ｂの後端部には上方及び後方を開放した切欠き部４３が設けられる。
【００４０】
中段ケース５０は両側壁５０ｂから側方に突出して前後方向に延びるフランジ部５１を上端部に有している。フランジ部５１を下段ケース４０の遮蔽部４２よりも内側の支持部４１上に載置して中段ケース５０が支持される。これにより、下段ケース４０の上面開口部が中段ケース５０により塞がれる。この時、中段ケース５０の上端は遮蔽部４２の上端よりも下方に配される。下段ケース４０の後壁４０ｃの上部は開口し、中段ケース５０は支持部４１上を摺動して下段ケース４０に対して前後方向にスライドする。
【００４１】
尚、下段ケース４０の側壁４０ｂに複数の支持部４１を上下に設けてもよい。この時、下方の支持部４１がフレーム１９ａ上に載置され、上方の支持部４１上に中段ケース５０のフランジ部５１が載置される。
【００４２】
また、フランジ部５１の後端部には下段ケース４０の切欠き部４３を介して遮蔽部４２よりも側方に突出する突出部５２（第１突出部）が設けられる。突出部５２は後述するように野菜室９に設けた中段ガイド部３５（図５参照）上に載置される。
【００４３】
上段ケース６０は両側壁６０ｂから側方に突出して前後方向に延びるフランジ部６１を上端部に有している。上段ケース６０の両側壁６０ｂの下端部には前後に複数の脚部６３が設けられる。脚部６３を下段ケース４０の支持部４１に設けた遮蔽部４２上に載置して上段ケース６０が支持される。これにより、上段ケース６０は中段ケース５０の上方に配され、中段ケース５０の上面開口部が上段ケース６０により塞がれる。上段ケース６０は遮蔽部４２上を摺動して下段ケース４０に対して前後方向にスライドする。
【００４４】
図５は扉１９を開いた状態を示す概略側面図である。野菜室９（図１参照）の両側壁には一対の中段ガイド部３５及び一対の上段ガイド部３６が設けられる。中段ガイド部３５は中段ケース５０のフランジ部５１に設けた突出部５２と摺動して中段ケース５０を案内する。上段ガイド部３６は上段ケース６０のフランジ部６１と摺動して上段ケース６０を案内する。
【００４５】
扉１９が閉じた状態で中段ケース５０の突出部５２は中段ガイド部３５の上面の案内面から離れ、フランジ部５１が下段ケース４０の支持部４１に接する。また、上段ケース６０のフランジ部６１は上段ガイド部３６の上面の案内面から離れ、脚部６３が下段ケース４０の遮蔽部４２に接する。
【００４６】
これにより、扉１９を引き出すと、下段ケース４０、中段ケース５０及び上段ケース６０が一体に前方にスライドする。この時、前方に配された中段ケース５０及び上段ケース６０は下段ケース４０により前部及び後部を支持され、がたつきがなく安定して支持される。
【００４７】
扉１９を引き出した後に上段ケース６０を後方にスライドさせると、フランジ部６１の後部が上段ガイド部３６の案内面上に載置される。これにより、一点鎖線６７に示すように、上段ケース６０の後部が上段ガイド部３６上を摺動し、前部が下段ケース４０の遮蔽部４２上を摺動する。このため、後方に配された上段ケース６０は下段ケース４０及び上段ガイド部３６により前後を支持され、安定して支持される。
【００４８】
上段ケース６０を後方に移動させることにより露出する中段ケース５０を後方に移動させると、フランジ部５１の後部が中段ガイド部３５の案内面上に載置される。これにより、一点鎖線５７に示すように、中段ケース５０の後部が中段ガイド部３５上を摺動し、前部が下段ケース４０の支持部４１上を摺動する。このため、後方に配された中段ケース５０は下段ケース４０及び中段ガイド部３５により前後を支持され、安定して支持される。
【００４９】
図６は中段ケース５０を取り外した状態の収納ケース３３の扉１９に平行に切断した斜視図を示している。上段ケース６０は下段ケース４０の遮蔽部４２上に載置されるため、中段ケース５０を取り外して上段ケース６０及び下段ケース４０を野菜室９内に収納することができる。
【００５０】
これにより、中段ケース５０を取り外して背の高い貯蔵物を下段ケース４０内に収納することができる。また、上段ケース６０内に貯蔵物を収納できるため、貯蔵量の減少を抑制することができる。
【００５１】
この時、支持部４１から上方に突出して前後方向に延びる遮蔽部４２によって下段ケース４０の上部側面が遮蔽される。このため、中段ケース５０を取り外しても下段ケース４０と上段ケース６０との間からの貯蔵物の脱落を防止することができる。
【００５２】
尚、下段ケース４０の上部側面を遮蔽する遮蔽部４２が下段ケース４０に設けられるが、遮蔽部を上段ケース６０から下方に延びて形成してもよい。この時、上段ケース６０に形成される遮蔽部を下段ケース４０の支持部４１上に載置して上段ケース６０を支持することができる。
【００５３】
本実施形態によると、扉１９に支持される下段ケース４０上に中段ケース５０及び上段ケース６０が載置されるので、中段ケース５０及び上段ケース６０が下段ケース４０上を摺動して前後にスライドする。このため、前方に引き出された中段ケース５０及び上段ケース６０を簡単な構成でがたつきがなく安定して支持することができる。従って、冷蔵庫１のコスト上昇を抑制して使用性及び品位を向上することができる。
【００５４】
また、扉１９の背面から後方に延びるフレーム１９ａ上に下段ケース４０の両側面から側方に突出する支持部４１が載置され、中段ケース５０及び上段ケース６０が支持部４１上に載置される。これにより、下段ケース４０上に中段ケース５０及び上段ケース６０を載置した収納ケース３３を容易に実現することができる。
【００５５】
また、支持部４１が中段ケース５０よりも外側で上方に突出して下段ケース４０の上部側面を遮蔽する遮蔽部４２を有し、上段ケース６０が遮蔽部４２上に載置される。これにより、中段ケース５０を取り外して下段ケース４０及び上段ケース６０を野菜室９内に収納し、貯蔵量の減少を抑制して背の高い貯蔵物を収納することができる。また、下段ケース４０と上段ケース６０との間からの貯蔵物の脱落を防止することができる。
【００５６】
また、中段ケース５０の両側面の後端部から突出する突出部５２（第１突出部）が中段ガイド部３５により案内され、上段ケース６０の両側面から突出するフランジ部６１が上段ガイド部３６により案内される。これにより、下段ケース４０上を摺動する中段ケース５０及び上段ケース６０の後部がそれぞれ中段ガイド部３５及び上段ガイド部３６により支持される。従って、下段ケース４０上を後方に移動した中段ケース５０及び上段ケース６０をがたつきがなく安定して支持することができる。
【００５７】
また、扉１９を閉じた際に、突出部５２が中段ガイド部３５の案内面上から離れて中段ケース５０が支持部４１上に載置され、フランジ部６１が上段ガイド部３６の案内面上から離れて上段ケース６０が支持部４１の遮蔽部４２上に載置される。これにより、扉１９と一体に下段ケース４０、中段ケース５０及び上段ケース６０を引き出すことのできる収納ケース３３を容易に実現することができる。
【００５８】
尚、上段ガイド部３６を本実施形態よりも上方に配置し、扉１９を閉じた際に、フランジ部６１が上段ガイド部３６上に載置されて上段ケース６０が遮蔽部４２上から離れるようにしてもよい。これにより、下段ケース４０及び中段ケース５０が扉１９と一体に引き出され、上段ケース６０が野菜室９内に残る。
【００５９】
この時、上段ケース６０を前方にスライドさせると、前方の脚部６３が遮蔽部４２上を摺動してフランジ部６１の後部が上段ガイド部３６上を摺動する。そして、フランジ部６１が上段ガイド部３６よりも前方に配されると、上段ケース６０が遮蔽部４２により支持される。この場合も、上段ケース６０は前部及び後部が支持されるため安定して支持することができる。
【００６０】
＜第２実施形態＞
次に、図７は第２実施形態の冷蔵庫１の野菜室９の扉１９を開いた状態を示す概略側面図である。説明の便宜上、前述の図１〜図６に示す第１実施形態と同様の部分には同一の符号を付している。本実施形態は上段ガイド部３６の形状が第１実施形態と異なっている。その他の部分は第１実施形態と同様である。
【００６１】
上段ガイド部３６の上面の案内面は前方を上方に傾斜した傾斜面３６ａを有している。傾斜面３６ａの後方は傾斜面３６ａの前方よりも低い位置に配される。また、上段ケース６０のフランジ部６１の後端部には下方に突出する突出部６２（第２突出部）が設けられる。
【００６２】
扉１９を閉じた状態で上段ケース６０の突出部６２は傾斜面３６ａよりも後方に配され、突出部６２を含むフランジ部６１は上段ガイド部３６の案内面から離れる。この時、上段ケース６０の脚部６３は下段ケース４０の支持部４１の遮蔽部４２上に載置される。
【００６３】
扉１９を所定量引き出して傾斜面３６ａ上に突出部６２が配されると、突出部６２が上段ガイド部３６上に載置されて上段ケース６０の後部が支持部４１上から離れる。これにより、図中、実線で示すように、上段ケース６０の前部は支持部４１により支持され、後部は上段ガイド部３６により支持される。
【００６４】
更に扉１９が引き出されると、上段ケース６０は傾斜面３６ａの係止により前方への移動が規制され、下段ケース４０及び中段ケース５０が扉１９と一体に引き出される。これにより、中段ケース５０及び上段ケース６０の前部の貯蔵物を取り出すことができる。また、上段ケース６０の前壁６０ａ（図２参照）を把持して上段ケース６０を容易に前方にスライドさせることができる。
【００６５】
扉１９を引き出した状態から図中、一点鎖線６８で示すように、上段ケース６０を前方にスライドさせると、上段ケース６０を開放することができる。この時、上段ケース６０のフランジ部６１が上段ガイド部３６よりも前方に配されると、上段ケース６０が遮蔽部４２により支持される。
【００６６】
また、扉１９を引き出した状態から図中、一点鎖線６９で示すように、上段ケース６０を後方にスライドさせると、中段ケース５０を開放することができる。この時、上段ケース６０の突出部６２が上段ガイド部３６の傾斜面３６ａよりも後方に摺動する。上段ケース６０の前部は支持部４１により支持され、後部は上段ガイド部３６により支持される。
【００６７】
本実施形態によると、第１実施形態と同様の効果を得ることができる。また、扉１９を閉じた際に上段ガイド部３６から離れた突出部６２が扉１９を所定量引き出して傾斜面３６ａ上に配されると上段ガイド部３６上に載置される。これにより、扉１９を引き出した際に中段ケース５０及び上段ケース６０の前部の貯蔵物を取り出すことができる。また、上段ケース６０の前壁６０ａを把持して容易に上段ケース６０を前方にスライドさせることができる。
【００６８】
＜第３実施形態＞
次に、図８は第３実施形態の冷蔵庫１の収納ケース３３の前部を示す上面図である。説明の便宜上、前述の図１〜図６に示す第１実施形態と同様の部分には同一の符号を付している。本実施形態は上段ケース６０の前壁６０ａに凹部６４が設けられ、中段ケース５０の前壁５０ａに延設部５３及び凹部５４が設けられる。その他の部分は第１実施形態と同様である。
【００６９】
上段ケース６０の前壁６０ａの左右方向の中央部には上下に貫通する凹部６４が凹設される。凹部６４は使用者の手が挿入可能な大きさに形成される。凹部６４の両側壁上には段差部６４ａが形成される。
【００７０】
中段ケース５０の前壁５０ａの上端部には上段ケース６０の凹部６４に臨む凹部５４が凹設される。凹部５４は使用者の手指が挿入可能な大きさに形成される。また、中段ケース５０の前壁５０ａの上面には上方に延びる延設部５３が設けられる。延設部５３は段差部６４ａの前面に対向して配置される。
【００７１】
扉１９（図５参照）を開くと下段ケース４０（図５参照）、中段ケース５０及び上段ケース６０が一体に引き出される。使用者は上段ケース６０の凹部６４に手を挿入して中段ケース５０の凹部５４に手指を掛け、中段ケース５０を後方にスライドさせることができる。
【００７２】
この時、延設部５３が段差部６４ａに当接し、中段ケース５０と一体に上段ケース６０が後方にスライドする。従って、中段ケース５０をスライドさせることにより、下段ケース４０を開放することができる。
【００７３】
本実施形態によると、第１実施形態と同様の効果を得ることができる。また、中段ケース５０の前壁５０ａに上段ケース６０の前面に当接する延設部５３を設けたので、中段ケース５０及び上段ケース６０を一体に後方にスライドさせることができる。従って、容易に下段ケース４０を開放することができ、冷蔵庫１の利便性を向上することができる。
【００７４】
本実施形態において、上段ケース６０の後壁から下方に突出して中段ケース５０の後方移動時に中段ケース５０の後面に当接する延設部を設けてもよい。これにより、中段ケース５０及び上段ケース６０を一体に後方にスライドさせることができる。
【００７５】
また、中段ケース５０の前壁５０ａを上段ケース６０の前方で上方に突出して形成し、前壁５０ａに手指を掛けて中段ケース５０を後方にスライドさせてもよい。これにより、凹部５４、６４を省くことができ、中段ケース５０及び上段ケース６０の内容量を大きくすることができる。
【００７６】
また、第１〜第３実施形態において、野菜室９の収納ケース３３が３段に形成されるが、冷凍室８の収納ケース３２を同様に３段に形成してもよい。
【産業上の利用可能性】
【００７７】
本発明によると、貯蔵室内に前後にスライドする収納ケースを設けた冷蔵庫に利用することができる。
【符号の説明】
【００７８】
１    冷蔵庫
２    本体部
３    断熱箱体
５    冷蔵室
７、８  冷凍室
９    野菜室
１１、１２  仕切壁
１５、１７、１８、１９  扉
２０    機械室
２１    圧縮機
２２    冷却器
２３    送風機
２４、２５  冷気通路
３１、３２、３３  収納ケース
３４    扉ガイド部
３５    中段ガイド部
３６    上段ガイド部
３６ａ  傾斜面
４０    下段ケース
４１    支持部
４２    遮蔽部
４３    切欠き部
５０    中段ケース
５１、６１  フランジ部
５２、６２  突出部
５３    延設部
５４、６４  凹部
６０    上段ケース
６３    脚部
６４ａ  段差部
【図１】
2015161486.tif 000003
【図２】
2015161486.tif 000004
【図３】
2015161486.tif 000005
【図４】
2015161486.tif 000006
【図５】
2015161486.tif 000007
【図６】
2015161486.tif 000008
【図７】
2015161486.tif 000009
【図８】
2015161486.tif 000010